(57)【要約】【課題】容易にセキュリティモードを解除することができないタッチパネル式の操作表示装置を提供する。【解決手段】各種情報を表示する表示部９の表面が、複数の箇所を同時に押圧した際に押圧箇所の中心点を検知して操作を行わせるタッチパネル７で構成されたタッチパネル式の操作表示装置１１において、前記表示部９の近傍に前記タッチパネル７の一部を押圧可能な押圧機構３５が設けられている。【選択図】図３
2008003758.tif 000002
【特許請求の範囲】
【請求項１】
各種情報を表示する表示部の表面が、複数の箇所を同時に押圧した際に押圧箇所の中心点を検知して操作を行わせるタッチパネルで構成されたタッチパネル式の操作表示装置において、
前記表示部近傍に前記タッチパネルの一部を押圧可能な押圧機構が設けられていることを特徴とするタッチパネル式の操作表示装置。
【請求項２】
前記タッチパネルの周囲がカバーで覆われており、該カバーの内側に前記押圧機構が設けられていることを特徴とする請求項１に記載のタッチパネル式の操作表示装置。
【請求項３】
前記押圧機構が、ソレノイドを用いて前記タッチパネルに押圧力を作用させることを特徴とする請求項１又は２に記載のタッチパネル式の操作表示装置。
【請求項４】
前記タッチパネルの特定位置を一箇所又は複数箇所押圧することで、前記押圧機構により押圧された状態が解除されることを特徴とする請求項１〜３のいずれかに記載のタッチパネル式の操作表示装置。
【発明の詳細な説明】
【技術分野】
【０００１】
本発明は、タッチパネル式の操作表示装置に関するものである。
【背景技術】
【０００２】
従来から、複写機等において各種操作が可能なタッチパネルを備えたタッチパネル式の操作表示装置がある。このような複写機等においてＦＡＸの送受信記録などの過去の履歴を他人に見られることを防止するために、パスワードにより使用者の操作を制限し、セキュリティ性を向上するものが知られている。また、定期点検や故障時等にメーカ担当者がパスワードを入力して使用するメンテナンスモードへ不正にアクセスして、不正コピーを行うことを防止するものが知られている（例えば、特許文献１参照）。
【特許文献１】特開２００５−１４５４８号公報
【発明の開示】
【発明が解決しようとする課題】
【０００３】
ところで、パスワード入力により複写機等のセキュリティ性を向上させるものでは、パスワードを管理する者以外の者がパスワードを知ってしまうと簡単にセキュリティを解除することができる虞がある。
【０００４】
そこで、本発明は、上記事情を鑑みてなされたものであり、容易にセキュリティモードを解除することができないタッチパネル式の操作表示装置を提供することを目的とする。
【課題を解決するための手段】
【０００５】
上記の課題を解決するために、請求項１に記載した発明は、各種情報を表示する表示部の表面が、複数の箇所を同時に押圧した際に押圧箇所の中心点を検知して操作を行わせるタッチパネルで構成されたタッチパネル式の操作表示装置において、前記表示部近傍に前記タッチパネルの一部を押圧可能な押圧機構が設けられていることを特徴とする。
このように構成することで、押圧機構でタッチパネルの一部が押圧されていることにより、タッチパネルの機能キーを押してもその機能キーが反応しない。
【０００６】
請求項２に記載した発明は、前記タッチパネルの周囲がカバーで覆われており、該カバーの内側に前記押圧機構が設けられていることを特徴とする。
このように構成することで、押圧機構の存在に気が付きにくくすることができる。
【０００７】
請求項３に記載した発明は、前記押圧機構が、ソレノイドを用いて前記タッチパネルに押圧力を作用させることを特徴とする。
このように構成することで、簡便な機構で押圧機構を実現することができる。
【０００８】
請求項４に記載した発明は、前記タッチパネルの特定位置を一箇所又は複数箇所押圧することで、前記押圧機構により押圧された状態が解除されることを特徴とする。
このように構成することで、セキュリティモードの解除が暗証番号のみによる場合よりも困難にすることができる。
【発明の効果】
【０００９】
請求項１に記載した発明によれば、押圧機構でタッチパネルの一部が押圧されていることにより、タッチパネルの機能キーを押してもその機能キーが反応しないため、セキュリティモードを解除させない限り目的の機能を実行することができない効果がある。
【００１０】
請求項２に記載した発明によれば、押圧機構の存在に気が付きにくくすることができるため、タッチパネルの機能キーを押してもその機能キーが反応しない原因が分からず、セキュリティ性を向上させることができる効果がある。また、押圧機構がカバーの内側に隠蔽されることで、破壊される危険性を少なくすることができる効果がある。
【００１１】
請求項３に記載した発明によれば、簡便な機構で押圧機構を実現することができるため、製造ラインを複雑化させることなく実現できる効果がある。
【００１２】
請求項４に記載した発明によれば、セキュリティモードの解除が暗証番号のみによる場合よりも困難にすることができるため、容易にセキュリティモードを解除することができない効果がある。
【発明を実施するための最良の形態】
【００１３】
次に、本発明の実施形態を図１〜図９に基づいて説明する。
本実施形態では、タッチパネル式の操作表示装置が複写機に搭載された場合について説明する。
（第一実施形態）
本発明の第一実施形態を図１〜図８を用いて説明する。
図１及び図２に示すように、複写機１は、図示しない画像記憶部、画像処理部、印刷部及び制御部等を備えた複写機本体３が下部に形成されている。複写機本体３の上部手前側に複写機１の各種操作を実行するための操作部５と、タッチパネル７が表面に配置された表示部９とを備え、操作部５と表示部９以外にはカバー１７が載置された操作表示装置１１が構成され、複写機本体３の上部で操作表示装置１１以外の部分には、原稿画像を自動的に給紙するための自動原稿送り装置（ＡＤＦ）１３ａと、原稿画像を読み取るためのスキャナ部１３ｂとを備えた画像読取部１３が構成されている。
【００１４】
図３に示すように、操作表示装置１１は、操作部５と表示部９とから構成されている。操作部５は、使用者による各種の操作指示を受け付け、当該操作指示内容を制御部２７に出力する複数のボタン１５で構成されたものである。ボタン１５は、複写動作を起動するスタートキー１５ａ、コピー枚数等を設定するテンキー１５ｂ、初期設定画面を起動等する複数のファンクションキー１５ｃ等から構成されている。
【００１５】
表示部９には、透明電極で構成されているタッチパネル７が表面に配置されている。表示部９は、カラー又はモノクロ液晶ディスプレイ（ＬＣＤ）で構成されており、制御部２７から入力された表示指示に基づいて各種画像、文字、図形等で各種情報を表示するとともに、使用者が表示部９に表示された機能キー２９に触れることによってタッチパネル７が機能し、入力された操作指示を制御部２７に出力する。
操作部５及び表示部９以外の部分を覆うようにカバー１７が設けられている。カバー１７は樹脂からなり、表示部９を視認可能な第１の開口部３１と、操作部５の各種ボタン１５の大きさに合わせた複数の第２の開口部３３とが形成されている。
【００１６】
また、図３及び図４に示すように、本実施形態では、表示部９の側部に押圧装置３５が設けられている。押圧装置３５は、カバー１７の上面に支柱３７が設けられ、支柱３７にはアーム部３９が設けられており、アーム部３９の端部にはロック部４１が形成されている。支柱３７は回転可能にカバー１７に接続されており、ロック部４１も支柱３７に合わせて回転可能に構成されている。ロック部４１は、ソレノイドの構造を有しており、ロック部４１の下部に内蔵された押圧棒４３が、押圧棒４３の周縁に設けられた図示しないコイルに電流を流すことで上下に移動可能で、下方に移動した際には表示部９の表面のタッチパネル７を押圧可能に構成されている。
【００１７】
次に、画像読取部１３は、自動原稿送り装置（ＡＤＦ）１３ａとスキャナ部１３ｂとを備えている。このような画像読取部１３は、制御部２７による制御の下に、自動原稿送り装置１３ａから供給された原稿がガラス面上に送られ、複写機本体３に内蔵されたスキャナ部１３ｂにて原稿の画像を順次読み取り、原稿画像の色彩を示すカラー画像データを画像記憶部２１に出力する。
【００１８】
画像記憶部２１は、ハードディスク等の外部記憶装置或いは／及び半導体メモリから構成されており、画像読取部１３から入力された原稿画像のカラー画像データを記憶する。この画像記憶部２１は、制御部２７による制御の下に、読み取られた原稿画像のカラー画像データの書き込みを行うと共に、当該カラー画像データを読み出して画像処理部２３に出力する。
【００１９】
画像処理部２３は、制御部２７による制御の下に、画像記憶部２１から入力されたカラー画像データを印刷用のデータに画像変換して印刷部２５に出力する。
【００２０】
印刷部２５は、制御部２７による制御の下に、印刷紙を搬送しつつ当該印刷紙にトナーを付着させることにより、上記カラー画像データに基づいて原稿画像を印刷紙上に出力する印刷手段である。
【００２１】
制御部２７は、操作部５或いは表示部９のタッチパネル７から入力される操作指示、内部メモリに記憶された制御プログラム及び各種制御用データ等に基づいて、複写機１の全体動作を制御するものである。即ち、制御部２７は、上記操作指示、制御プログラム及び各種制御用データ等に基づいて制御演算を行うＣＰＵ（Central Processing Unit）及び他の各部（つまり操作部５、表示部９、画像読取部１３、画像記憶部２１、画像処理部２３、及び印刷部２５）とのデータ授受を行う各種入出力インタフェース回線等から構成されており、上記他の各部を統括的に制御することによって、画像読取部１３が読み取った原稿画像を印刷部２５より印刷することが可能となる。
【００２２】
次に、操作表示装置１１と制御部２７との間の構成について説明する。
図５に示すように、制御部２７には、所定のプログラムに基づいて表示部９の表示方法を制御する表示制御ＣＰＵ４５と、所定のプログラムが格納されるＲＯＭ４７と、各種データなどが一時的に保管されワーキングエリアとして機能するＲＡＭ４９が備えられている。
表示制御ＣＰＵ４５、ＲＯＭ４７、及びＲＡＭ４９から得られたデータや操作信号は、液晶表示画面を構成する表示部９への表示データを展開するＶＲＡＭ５１、及び入出力ポート６３と通信可能に構成されている。
【００２３】
また、ＶＲＡＭ５１には、表示データに基づいて表示部９を駆動する液晶ドライバ５３が通信可能に構成され、液晶ドライバ５３により操作表示装置１１の表示部９に必要な画像が表示されるように構成されている。
更に、タッチパネル７は、使用者が押圧したタッチパネル７の位置を検出する位置検出部５５と通信可能に構成されている。また、スタートキー１５ａ、テンキー１５ｂ又はファンクションキー１５ｃ等の各種ボタン１５の背面に配置されたバックライトやＬＥＤ等で構成される個別表示素子５７に対して出力可能に構成されたドライバ回路５９と、スタートキー１５ａ、テンキー１５ｂ又はファンクションキー１５ｃ等の各種ボタン１５からの操作信号が入力されるバッファ回路６１とが構成されている。
【００２４】
入出力ポート６３は、位置検出部５５及びバッファ回路６１からの信号を入力可能に構成され、ドライバ回路５９へ信号を出力可能に構成されており、更に、表示制御ＣＰＵ４５と入出力可能に構成されている。
【００２５】
表示画面は、表示部９とタッチパネル７とを備えて構成される。タッチパネル７が押圧されると、位置検出部５５で検出された位置情報が入出力ポート６３を介して表示制御ＣＰＵ４５に入力され、表示制御ＣＰＵ４５によりＶＲＡＭ５１に展開されている表示データに基づいてどの機能キー２９が選択されたかが判断される。液晶ドライバ５３はＶＲＡＭ５１に展開された表示データに基づいて表示部９を駆動する。これらの動作により、表示画面に機能キー２９の入力があるとプログラムに基づいて表示画面の表示が更新制御されるように構成されている。
【００２６】
次に、作用について説明する。
複写機１は、電源がＯＮされており、スタンバイ状態である。この状態でコピーをするときは、コピーをする原稿を自動原稿送り装置１３ａにセットし、表示部９のタッチパネル７や操作部５のテンキー１５ｂなどで用紙サイズ、コピー枚数、濃度、倍率等を設定し、スタートボタン１５ａを押すことでコピーが開始される。
コピーが開始されると、原稿は自動原稿送り装置１３ａからスキャナ部１３ｂへと搬送され、スキャナ部１３ｂにおいて原稿が読み取られる。読み取られた原稿の画像データは複写機本体３の内部に設けられた画像記憶部２１から画像処理部２３へと送られた後、印刷部２５へデータが送られると、複写機本体３に内蔵されたトナーにより印刷紙へ印字され、印刷物として排出される。
【００２７】
上述の各種設定及び操作を行った後に、部外者に履歴を見られたくない場合には、セキュリティモードに設定する。その手順は、まず押圧装置３５のロック部４１がタッチパネル７の上部にくるように押圧装置３５の支柱３７を軸に回転させてセットする。次に、暗証番号等をテンキー１５ｂ又はタッチパネル７より入力する。暗証番号が正しければ、ロック部４１に内蔵されたコイルに電流が流れ、押圧棒４３が下方に移動し、タッチパネル７の上面を押圧する。
このように押圧棒４３がタッチパネル７の上面を押圧すると、その後、タッチパネル７の目的の機能キー２９を押した場合、目的の機能キー２９を押したと判断されず、押圧した機能キー２９と、押圧棒４３により押圧されている位置との中間点を押したと判断される。したがって、セキュリティモードの解除がされない限り、それを知らない使用者はタッチパネル７を押しても目的の操作を行うことができない。
【００２８】
次に、図６〜図８を用いて、押圧装置３５が作動している場合の表示部９への表示方法及び押圧装置３５が解除されるまでのフローを説明する。
ステップ１（Ｓ１）では、押圧装置３５が作動中か否かを判別し、作動中であればステップ２（Ｓ２）へ移行し、作動中でなければステップ５（Ｓ５）へ移行する。
ステップ２（Ｓ２）では、押圧棒４３がタッチパネル７に押圧されている場合は、その位置を位置検出部５５で検出し、入出力ポート６３を介して表示制御ＣＰＵ４５に入力し、その情報がＶＲＡＭ５１、液晶ドライバ５３に送られ、表示部９に「現在セキュリティモードです。」などと表示され、使用者に知らせることができる。次に、ステップ３（Ｓ３）へ移行する。
【００２９】
ステップ３（Ｓ３）では、セキュリティモード状態でタッチパネル７を押した位置がロック解除用の特定位置かどうかを判別し、特定位置と合致すればステップ４（Ｓ４）へ移行し、特定位置でなければステップ６（Ｓ６）へ移行する。
ここで、セキュリティモードを解除するには、タッチパネル７上の設定された特定位置を押す。特定位置は、一箇所又は複数箇所押圧することでセキュリティモードを解除することができるように設定可能であるが、偶然に押して解除されることを防ぐために、複数の特定位置を同時に押すことや、複数の特定位置を暗証番号のように順番に押すことで解除されるように構成されることが望ましい。
表示部９に表示されているある機能キー２９を押しても、その機能キー２９を押したとは判断されずに、押した箇所と押圧棒４３にて押されている箇所との中間点を押したと判断される。従って、複数の特定位置を押してセキュリティモードを解除することは、その特定位置を知っている者しか解除することができない。つまり、暗証番号のみで管理している場合よりも解除方法を想像することが困難になる。ここで、テンキー１５ｂにて暗証番号を入力する方法を組み合わせても良い。
ステップ４（Ｓ４）では、ロックが解除され、ステップ５（Ｓ５）へ移行する。
【００３０】
ステップ５（Ｓ５）では、セキュリティモードから通常モードへ変更され、コピーなどが通常通り実施できるようになる。
一方、ステップ６（Ｓ６）では、セキュリティモードで特定位置と異なるタッチパネル７の機能キー２９が押された場合に、表示部９に「このキー操作は無効です。」などの警報表示をして、使用者に知らせ、ステップ３（Ｓ３）へ移行する。特定位置が押されるまではこのステップを繰り返す。ここで、連続的に表示部９に「このキー操作は無効です。」の表示がされるような行為を繰り返した場合は、更なる警報をするなどして複写機１の電源を強制ＯＦＦにしたり、その後一切の操作信号を受け付けないようにするなどしてもよい。
【００３１】
また、複写機１の電源を一旦ＯＦＦにして、次に誰が複写機１の電源をＯＮにするか分からないために、複写機１の電源立ち上げ時はデフォルトでタッチパネルに押圧装置３５が作動しているように設定する。
【００３２】
本実施形態によれば、タッチパネル７のある一部を押圧可能な押圧装置３５を設けることにより、セキュリティモード状態を解除するには、タッチパネル７上のある特定位置を暗証番号のように押圧しなければならない。これにより、テンキー１５ｂで暗証番号を入力することでセキュリティモード状態を設定／解除するものより解除方法を想像することが困難になる。結果として、押圧装置３５の解除方法を知らないような日頃当該複写機１を使用しない第三者がセキュリティモードを解除することができず、装置内の情報を盗まれることがなくなる効果がある。
【００３３】
（第二実施形態）
本発明の第二実施形態について、図９を用いて説明する。
本実施形態は、押圧装置３５の配置された箇所が異なる以外は第一実施形態と構成が同じであるため、同一部分に同一符号を付し、説明を省略する。
図９に示すように、本実施形態では、表示部９の側部でカバー１７の内部に押圧装置３５が設けられている。カバー１７の押圧棒４３が突出する位置には、開口７１が形成されている。押圧装置３５は、ロック部４１と押圧棒４３とで構成されている。ロック部４１は、ソレノイドの構造を有しており、ロック部４１の側部に内蔵された押圧棒４３が、押圧棒４３の周縁に設けられた図示しないコイルに電流を流すことで水平方向に移動可能で、水平にロック部４１から突出する方向に移動した際には、押圧棒４３が開口７１より突出し、表示部９の表面のタッチパネル７に接触し、押圧可能に構成されている。
【００３４】
作用については、セキュリティモードに設定する際に、ロック部４１に内蔵されたコイルに電流が流れ、押圧棒４３が水平にロック部４１から突出する方向に移動し、押圧棒４３の先端がカバー１７の開口７１から突き出て、タッチパネル７の上面に接触し、押圧する。上記以外の作用については、第一実施形態と同様のため、説明を省略する。
【００３５】
本実施形態によれば、第一実施形態と同様の効果があることと、更に、押圧装置３５がカバー１７の内側に設けられているため、第三者が押圧装置３５の存在に気が付きにくくすることができる。したがって、第三者が操作しようとしてタッチパネル７の機能キー２９を押してもその機能キー２９が反応しない原因が分からず、セキュリティモードの解除方法ももちろん分からないため、更にセキュリティ性を向上することができる効果がある。
また、押圧装置３５がカバー１７の内側に隠蔽されているため、第三者により押圧装置３５を破壊される危険性を少なくすることができる効果もある。
【００３６】
尚、この発明は上述した実施の形態に限られるものではなく、例えば以下のような態様も採用可能である。
本実施形態では、タッチパネル式の操作表示装置を複写機に搭載された場合の説明をしたが、複写機に限らずＡＴＭ等のように同様の構成を有するタッチパネル式の操作表示装置に採用してもよい。
第一実施形態では、押圧装置の支柱を回転可能に設けた説明をしたが、表示部を視認する際に特に障害でなければ、支柱は回転できなくてもよい。
第一実施形態では、押圧棒が上下する構成の説明をしたが、押圧装置本体が上下する構成でもよい。
第二実施形態では、押圧装置を水平に配し、押圧棒が水平方向に移動する説明をしたが、若干斜めに配し、タッチパネルを押圧しやすいように構成しても良い。
本実施形態では、押圧装置を一つ設けた説明をしたが、更にセキュリティ性を向上させるために、押圧装置を複数設けてもよい。
本実施形態では、押圧装置の解除方法として、タッチパネルとテンキーによる入力での解除方法を説明したが、タッチパネルと鍵とを併用して解除する方法を使用してもよい。
本実施形態では、押圧装置がソレノイドで構成された説明をしたが、それに限らずモータ駆動など機能を果たすものであれば構造は拘らない。
【図面の簡単な説明】
【００３７】
【図１】本発明の第一実施形態における複写機の斜視図である。
【図２】本発明の第一実施形態における複写機のブロック図である。
【図３】本発明の第一実施形態における操作表示装置の斜視図である。
【図４】本発明の第一実施形態における押圧装置の斜視図である。
【図５】本発明の第一実施形態における操作表示装置のブロック図である。
【図６】本発明の第一実施形態における押圧装置の解除方法のフロー図である。
【図７】本発明の第一実施形態における表示部の平面図である。
【図８】本発明の第一実施形態における表示部の平面図である。
【図９】本発明の第二実施形態における操作表示装置の斜視図である。
【符号の説明】
【００３８】
７…タッチパネル  ９…表示部  １１…操作表示装置（タッチパネル式の操作表示装置）  １７…カバー  ３５…押圧装置（押圧機構）
【図１】
2008003758.tif 000003
【図２】
2008003758.tif 000004
【図３】
2008003758.tif 000005
【図４】
2008003758.tif 000006
【図５】
2008003758.tif 000007
【図６】
2008003758.tif 000008
【図７】
2008003758.tif 000009
【図８】
2008003758.tif 000010
【図９】
2008003758.tif 000011